(57)【特許請求の範囲】
【請求項１】
ガスバーナと、
水入口からの水が流れ込む経路として構成される入水管と、
湯出口へ湯を送り出す経路として構成される出湯管と、
前記入水管と前記出湯管との間の通水経路として構成された伝熱管を備え、前記伝熱管内を通る水に対して前記ガスバーナで発生した燃焼熱を伝熱して熱交換させる熱交換器と、
前記入水管と前記出湯管とに接続され、前記熱交換器とは異なる通水経路として構成されたバイパス路と、
前記バイパス路を、少なくとも所定の閉塞状態と前記閉塞状態よりも開度を増大させた状態とに移行可能なバイパス弁と、
前記入水管内の通水を検知する通水センサと、
前記バイパス弁及び前記ガスバーナを制御する制御部と、
を備え、
前記制御部は、
前記通水センサが前記入水管内の通水を検知していない非検知状態から前記入水管内の通水を検知した検知状態に変化した通水開始を条件として、前記バイパス路を前記閉塞状態とする構成であり、
前記入水管での通水開始に伴う前記閉塞状態のときに前記通水センサが前記検知状態となる場合に、前記ガスバーナを燃焼状態とする所定の通常燃焼制御を行い、且つ前記ガスバーナの燃焼を停止させて前記通常燃焼制御を終えた後には前記バイパス路を開放状態としておき、
前記入水管での通水開始に伴う前記閉塞状態のときに前記通水センサが前記非検知状態となる場合には、前記バイパス路を開放する開放制御を行い、且つ前記ガスバーナを燃焼させると共に所定の終了条件が成立するまで前記ガスバーナの燃焼状態を継続する凍結解除燃焼制御を行うことを特徴とする給湯装置。                      
【請求項２】
前記制御部は、前記入水管での通水開始に伴う前記閉塞状態のときに前記通水センサが前記非検知状態となる場合、前記開放制御による前記バイパス路の開放状態において前記通水センサが前記検知状態となることを条件として前記凍結解除燃焼制御を行うことを特徴とする請求項１に記載の給湯装置。
【請求項３】
前記制御部は、前記凍結解除燃焼制御が実行された後から所定時間が経過するまでの間に前記熱交換器の下流側の通水経路内の温度が第１温度以上上昇しない場合、前記凍結解除燃焼制御を停止させることを特徴とする請求項１又は請求項２に記載の給湯装置。
【請求項４】
前記凍結解除燃焼制御が実行された後から前記所定時間が経過するまでの間に前記熱交換器の下流側の通水経路内の温度が前記第１温度以上上昇しないことを条件として所定のエラー報知を行う報知部を有することを特徴とする請求項３に記載の給湯装置。
【請求項５】
前記制御部は、前記凍結解除燃焼制御の実行中に前記熱交換器の下流側の通水経路内の温度が所定温度に達した場合、前記凍結解除燃焼制御を停止させることを特徴とする請求項１から請求項４のいずれか一項に記載の給湯装置。
【発明の詳細な説明】
【技術分野】
【０００１】
本発明は、給湯装置に関するものである。
【背景技術】
【０００２】
従来から提供されている給湯装置は、バーナの燃焼により生じる燃焼熱と熱交換を行う熱交換器を備えており、熱交換器で加熱された水を外部に供給するように構成されている。具体的には、外部から水を取り込むための入水管において通水開始を検知し、その検知をトリガとしてバーナの燃焼運転を行う方式のものが提供されており、このような方式により、通水開始に伴う自動的な給湯を可能としている。
【先行技術文献】
【特許文献】
【０００３】
【特許文献１】特開２００８−１５１４７３号公報
【発明の概要】
【発明が解決しようとする課題】
【０００４】
ところで、この種の給湯装置では、周囲温度が低下した環境下において、装置内での通水停止がある程度長い時間継続した場合に、給湯器内に残存した水が凍結する虞がある。このように給湯器内に残留した水が凍結すると、内部配管等に破損が生じるという問題や、通水検知をトリガとする自動的な燃焼制御ができなくなるという問題など、凍結に起因する問題が生じる。従って、この種の給湯装置では、このような問題に対処するための凍結対策が求められる。
【０００５】
凍結対策がなされた技術としては、例えば特許文献１のような技術が存在する。この特許文献１で開示される温水装置では、外気温が所定温度以下まで下がった場合にヒータをオン動作させて伝熱管を加熱することで解氷を試み、伝熱管内での凍結を抑制している。しかしながら、この技術では、凍結が発生した場合、凍結状態が完全に解消するまでの間、相当の時間をかけて電気ヒータを作動させ続ける必要があり、電力消費が非常に大きくなるという問題がある。
【０００６】
一方、別の凍結対策としては、給湯装置内の水を外部に排出するための水抜き栓を設ける方法が挙げられる。しかしながら、このように水抜き栓によって給湯装置内の水を排出するためには、給湯装置内の配管の径をある程度大きくする必要があり、配管の拡径に起因する不利益（例えば、給湯器の構成の大幅な設計変更など）を被る虞がある。また、熱交換器では、燃焼ガス中の熱量を効率的に内部通水に伝達するために、熱交換器を構成する水管の径をより小さくすることが求められる。そして、このように細径化が求められる水管では、水抜き栓によって水管内の水を抜こうとしても完全に除去しきれずに水が残留する可能性が高くなるため、残留水の凍結によって細い水管につまりが生じる虞がある。このように、水抜き栓を設けるだけでは、残留水に起因する問題（水管の破損や燃焼運転の阻害などの問題）を解消することが難しい。
【０００７】
本発明は、上述した課題を解決するためになされたものであり、熱交換器で加熱された水を外部に供給するように構成された給湯装置において、消費電力の増大を抑えつつより短時間で解氷を行うことが可能な構成を提供することを目的とする。
【課題を解決するための手段】
【０００８】
本発明は、ガスバーナと、
水入口からの水が流れ込む経路として構成される入水管と、
湯出口へ湯を送り出す経路として構成される出湯管と、
前記入水管と前記出湯管との間の通水経路として構成された伝熱管を備え、前記伝熱管内を通る水に対して前記ガスバーナで発生した燃焼熱を伝熱して熱交換させる熱交換器と、
前記入水管と前記出湯管とに接続され、前記熱交換器とは異なる通水経路として構成されたバイパス路と、
前記バイパス路を、少なくとも所定の閉塞状態と前記閉塞状態よりも開度を増大させた状態とに移行可能なバイパス弁と、
前記入水管内の通水を検知する通水センサと、
前記バイパス弁及び前記ガスバーナを制御する制御部と、
を備え、
前記制御部は、
前記通水センサが前記入水管内の通水を検知していない非検知状態から前記入水管内の通水を検知した検知状態に変化した通水開始を条件として、前記バイパス路を前記閉塞状態とする構成であり、
前記入水管での通水開始に伴う前記閉塞状態のときに前記通水センサが前記検知状態となる場合に、前記ガスバーナを燃焼状態とする所定の通常燃焼制御を行い、且つ前記ガスバーナの燃焼を停止させて前記通常燃焼制御を終えた後には前記バイパス路を開放状態としておき、
前記入水管での通水開始に伴う前記閉塞状態のときに前記通水センサが前記非検知状態となる場合には、前記バイパス路を開放する開放制御を行い、且つ前記ガスバーナを燃焼させると共に所定の終了条件が成立するまで前記ガスバーナの燃焼状態を継続する凍結解除燃焼制御を行うことを特徴とする。
【発明の効果】
【０００９】
請求項１の発明は、入水管での通水開始に伴ってバイパス路が閉塞状態とされているときに通水センサが検知状態となる場合に、ガスバーナを燃焼状態とする所定の通常燃焼制御を行い、且つガスバーナの燃焼を停止させて通常燃焼制御を終えた後にはバイパス路を開放状態としておく構成となっている。
このように、入水管での通水開始に伴ってバイパス路が閉塞状態とされているときに通水センサが検知状態となる場合、熱交換器の通水経路での通水が確保されていると考えられる。このような場合には、特別な凍結解除運転を行うことなくガスバーナを燃焼状態とする通常燃焼制御を行うことで、通常の給湯動作を速やかに行うことができる。また、通常燃焼制御が終了した後には、バイパス路を開放状態としておくことができるため、器具が使用されない状態では水抜きを行いやすくしておくことができる。
一方、入水管での通水開始に伴ってバイパス路が閉塞状態とされているときに通水センサが非検知状態となる場合、バイパス路を開放する開放制御を行い、且つガスバーナを燃焼させると共に所定の終了条件が成立するまでガスバーナの燃焼状態を継続する凍結解除燃焼制御を行う。
バイパス路が閉塞状態とされているときに通水センサが非検知状態となる場合、熱交換器の通水経路で「つまり」が生じている可能性が高い。このような場合にバイパス路の通水を確保しつつガスバーナの燃焼によって熱交換器付近を加熱すれば、「つまり」の原因が凍結であった場合に、多大な電力消費を伴うことなくより短時間で解氷を行うことができる。しかも、この構成では、燃焼動作によって凍結対策を図ることができるため、凍結対策のために熱交換器付近の配管径の大型化を強いることもない。
【００１０】
請求項２の発明では、制御部は、入水管での通水開始に伴うバイパス路の閉塞状態のときに通水センサが非検知状態となる場合、開放制御によるバイパス路の開放状態において通水センサが検知状態となることを条件として凍結解除燃焼制御を行う構成となっている。
このように、熱交換器の「つまり」が想定される場合に、更にバイパス路を開放して通水の有無を確認すれば、その際の機器の状況がより詳細に把握されることになり、機器の状況により適した対応につなげやすくなる。
【００１１】
請求項３の発明では、制御部は、凍結解除燃焼制御が実行された後から所定時間が経過するまでの間に熱交換器の下流側の通水経路内の温度が第１温度以上上昇しない場合、凍結解除燃焼制御を停止させる構成となっている。
このように、凍結解除燃焼制御を行っても熱交換器の下流側の通水経路内の温度が第１温度以上上昇しない場合、「つまり」の原因が凍結ではなく他の要因（スケールや異物など）の可能性が高いため、それ以上燃焼を行っても「つまり」を解消できない可能性が高い。よって、このような場合に凍結解除燃焼制御を停止する構成とすれば、不必要の可能性が高い燃焼動作をより速やかに停止することができる。
【００１２】
請求項４の発明は、凍結解除燃焼制御が実行された後から所定時間が経過するまでの間に熱交換器の下流側の通水経路内の温度が第１温度以上上昇しないことを条件として所定のエラー報知を行う報知部を有する。
このように、凍結解除燃焼制御を行っても熱交換器の下流側の通水経路内の温度が第１温度以上上昇しない場合、熱交換器の「つまり」の原因が凍結ではなく他の要因（スケールや異物など）と考えられるため、このような場合にその旨を報知すれば、報知を受けた主体がより迅速に適切な対応をとりやすくなる。
【００１３】
請求項５の発明では、制御部は、凍結解除燃焼制御の実行中に熱交換器の下流側の通水経路内の温度が所定温度に達した場合、凍結解除燃焼制御を停止させる構成となっている。
このように、凍結解除燃焼制御の実行中に熱交換器の下流側の通水経路内の温度が所定温度に達した場合、凍結が解除されて所期の目的が達成された可能性が高い。従って、このような場合には、それ以上の燃焼を停止させることで、水が加熱されすぎることを防ぐことができる。
【図面の簡単な説明】
【００１４】
【図１】図１は、本発明の第１実施形態に係る給湯装置を例示する風呂・給湯システムの概略回路図である。
【図２】図２は、図１の風呂・給湯システムにおける給湯回路での制御の流れを例示するフローチャートである。
【発明を実施するための形態】
【００１５】
[第１実施形態]
以下、本発明を具現化した第１実施形態について、図面を参照して説明する。
図１で示す風呂・給湯システム１は、本発明に係る給湯装置の一例に相当し、主として、給湯回路２と風呂回路３とによって構成されている。給湯回路２は、主として、水入口１６からの水が流れ込む経路として構成される入水管１２と、湯出口１８へ湯を送り出す経路として構成される出湯管１０と、ガスバーナ（給湯バーナ）４からの燃焼熱を交換する一次熱交換器７及び二次熱交換器８からなる熱交換器６とを備えており、水道水を加熱し出湯させる経路として機能する。また、風呂回路３は、ガスバーナ５４（風呂バーナ）、風呂一次熱交換器５７、風呂二次熱交換器５８などをそれぞれ備えており、風呂の追い炊き等に利用されるものである
【００１６】
給湯回路２では、二次熱交換器８の入口に、水道水を供給する構成で入水管１２が接続されており、この入水管１２には、管内の通水を検出する通水センサ３４（給湯水量センサ）が設けられている。入水管１２の下流側には、二次熱交換器８の伝熱管８ａが接続されており、その下流側には、二次熱交換器８の伝熱管８ａと一次熱交換器７の伝熱管７ａとを連結する通水管２０が接続される。更に、この通水管２０に連結された構成で一次熱交換器７の伝熱管７ａが接続され、一次熱交換器７の出口には、一次熱交換器７で加熱された湯を出湯する構成で出湯管１０が接続されている。この出湯管１０には、管内の水の温度を検出するサーミスタ２６が設けられている。
【００１７】
また、給湯燃焼室９０内において、一次熱交換器７はガスバーナ４の燃焼排気経路の上流側に配置され、二次熱交換器８は燃焼排気経路の下流側に配置されている。一次熱交換器７は、一次熱交換器７内の通水経路となる伝熱管７ａを備えており、伝熱管７ａ内を通る水に対してガスバーナ４で発生した燃焼排気に含まれる燃焼熱を伝熱して熱交換する。また、二次熱交換器８は、二次熱交換器８内の通水経路となる伝熱管８ａを備えており、伝熱管８ａ内を通る水に対してガスバーナ４で発生した燃焼排気に含まれる燃焼熱を伝熱して熱交換する。
【００１８】
また、入水管１２と出湯管１０との間をバイパスする通水経路として、熱交換器６とは異なる通水経路として構成されたバイパス路１４が設けられている。そして、このバイパス路１４には、バイパス路１４の通水を遮断した閉塞状態と、この閉塞状態よりも開度を増大させた開放状態とに移行可能なバイパス弁３２が設けられている。なお、バイパス弁３２は、バイパス路１４を閉塞状態と全開状態の２段階に切り替える構成であってもよく、バイパス路１４を閉塞状態と全開状態との間で、様々な開度に連続的に変更できる構成であってもよい。
【００１９】
入水管１２において、バイパス路１４が連結する分岐位置よりも上流側には、通水量制御弁３３が設けられている。この通水量制御弁３３は、コントローラ２２からの指示を受けて駆動軸の回転角度が制御されるモータを備えており、入水管１２を閉塞状態と全開状態との間で様々な開度に連続的に変更できる構成となっている。
【００２０】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。
【００２１】
風呂回路３は、戻り配管６６と、往き配管６８と、風呂熱交換器５６（風呂一次熱交換器５７、風呂二次熱交換器５８）とを備えた構成となっている。戻り配管６６は、風呂二次熱交換器５８と浴槽６０との間に配置されており、この戻り配管６６の経路には、循環ポンプ６２及び風呂サーミスタ６５が設けられている。また、往き配管６８は、風呂一次熱交換器５７と浴槽６０との間に配置されており、この往き配管６８の経路には、風呂サーミスタ６５が設けられている。更に、戻り配管６６には、出湯管１０から分岐された落とし込み管７０が接続されており、この落とし込み管７０には、給湯用電磁弁７２及び落とし込み水量センサ７４が設けられている。そして、落とし込み管７０に設けられた給湯用電磁弁７２を開弁させることで、給湯回路２で加熱された湯を浴槽６０へ供給可能となっている。また、ガスバーナ５４（風呂バーナ）に接続されるガス管からの分岐管には、切替電磁弁５３が設けられている。
【００２２】
ここで、風呂・給湯システム１での給湯動作について図２等を参照して説明する。本構成では、図１で示すように制御回路としてのコントローラ２２が設けられ、このコントローラ２２が主体的に動作することで図２に示す制御が行われるようになっている。
【００２３】
本構成では、例えば、電源投入などの所定開始条件の成立に伴い、図２に示す給湯制御が実行される。制御部に相当するコントローラ２２は、図２の制御が開始することに伴い、通水センサ３４での検出結果を継続的に確認し、入水管１２での通水状態を監視する（Ｓ１１）。本構成では、後述するように、通水センサ３４での通水検出量が所定値以下の通水停止時にバイパス弁３２が開状態で保たれ、バイパス路１４が開放状態で維持されることが前提となっている。そして、通水センサ３４での通水検出量が所定値を超えた通水状態であること（即ち、通水センサ３４が設けられた位置での水の流量が所定値を超えていること）が確認されると、Ｓ１１でＹｅｓに進み、バイパス弁３２を閉状態に切り替えてバイパス路１４を閉塞状態とする。なお、通水センサ３４での通水検出量が所定値を超えない通水停止状態では、所定の短時間毎に行われるＳ１１の処理において繰り返しＮｏに進み続けることになる。
【００２４】
Ｓ１２でバイパス弁３２を閉状態とし、バイパス路１４を閉塞状態とした後には、再び、通水センサ３４での通水検出結果に基づいて入水管１２が通水状態であるか否かを監視する（Ｓ１３）。そして、通水センサ３４での通水検出量が所定値を超えた通水状態であること（即ち、通水センサ３４が設けられた位置での水の流量が所定値を超えていること）が確認されると、Ｓ１３でＹｅｓに進み、給湯回路２及びバイパス路１４のいずれにも「つまり」が生じていない正常状態であるとして通常の燃焼制御を行う（Ｓ１４）。
【００２５】
このＳ１４での通常燃焼制御では、まず、コントローラ２２がファン４８を所定時間回転させて、燃焼室９０内に貯留している燃焼排気を排出させる（プリパージ）。その後、ガス管４０のガス元電磁弁４２、各給湯切替電磁弁４６を開弁させ、給湯ガス比例制御弁４４を所定開度で開弁させて、各ガスバーナ４（給湯バーナ）へガスを供給すると共に、イグナイタを作動させて各ガスバーナ４（給湯バーナ）に点火する。すると、各ガスバーナ４（給湯バーナ）は燃焼状態となり、各ガスバーナ４からの燃焼排気は、まず一次熱交換器７を通過して伝熱管７ａの通水と熱交換した後、二次熱交換器８を通過して伝熱管８ａの通水と熱交換して外部へ排出される。そして、コントローラ２２は、出湯管１０のサーミスタ２６によって出湯温度を監視し、出湯温度が図示しない給湯リモコン又は風呂リモコンによって指示された設定温度となるように、給湯切替電磁弁４６の開閉制御と、給湯ガス比例制御弁４４の開度調整とを行うと共に、ファン４８の回転数制御によって空気量を連続的に変化させる。
【００２６】
また、このＳ１４の通常燃焼制御中には、通水センサ３４での検出結果が通水停止状態となることを継続的に確認し続けており、Ｓ１５の終了確認処理を所定の短時間毎に定期的に行っている。そして、通水センサ３４での通水検出量が所定値を超えて通水センサ３４での検出結果が通水検出状態である間（即ち、通水センサ３４が設けられた位置での水の流量が所定値を超えている間）はＳ１５でＮｏに進み続け、Ｓ１４の通常燃焼制御を継続することになる。一方、湯出口１８側での閉栓などによって入水管１２での通水が停止し、通水センサ３４での通水検出量が所定値以下となるように通水センサ３４での検出結果が通水停止状態となった場合（即ち、通水センサ３４が設けられた位置での水の流量が所定値以下となった場合）には、Ｓ１５にてＹｅｓに進み、コントローラ２２は、ガスバーナ４を停止する制御を行う（Ｓ１６）。具体的には、ガス元電磁弁４２及び給湯切替電磁弁４６を閉じてガスバーナ４を消火させ、所定時間ファン４８を回転させる（ポストパージ）。更に、このＳ１６での停止制御の後には、バイパス弁３２を所定の開放状態（例えば、全開状態）に切り替えておく（Ｓ１７）。このように、通常燃焼制御の停止後にバイパス路１４が開放状態とされるため、上述したように、通水センサ３４での通水検出量が所定値以下となるような通水停止時にはバイパス路１４が開放状態で維持されることになる。そして、次の通水開始時には、バイパス路１４が開放していることを前提として通水が開始する。なお、Ｓ１７の処理後には、再びスタートに戻って図２の処理が実行され、Ｓ１１にて通水を監視することになる。
【００２７】
このように、制御部に相当するコントローラ２２は、通水センサ３４が入水管１２内の通水を検知していない非検知状態から入水管１２内の通水を検知した検知状態に変化したこと（即ち、Ｓ１１でＹｅｓに進む場合）を条件として、バイパス弁３２を閉状態に制御し、これによりバイパス路１４を閉塞状態としている。そして、このコントローラ２２は、入水管１２での通水開始に伴う上記閉塞状態（Ｓ１２）のときに通水センサ３４が検知状態となる場合（即ち、Ｓ１３でＹｅｓに進む場合）に、ガスバーナ４を燃焼状態とする所定の通常燃焼制御（Ｓ１４）を行い、更に、その通常燃焼制御がなされた後のガスバーナ４の燃焼停止（Ｓ１６）に伴って、バイパス路１４を再び開放状態（Ｓ１７）に戻すように制御を行っている。
【００２８】
一方で、Ｓ１２でバイパス路１４を閉塞したときに、通水センサ３４によって通水が確認されない場合（即ち、通水センサ３４での通水検出量が所定値以下のままであり、通水センサ３４が設けられた位置での水の流量が所定値以下のままである場合）には、Ｓ１３にてＮｏに進み、この場合、バイパス弁３２を開状態に制御することで、バイパス路１４を開放状態とする（Ｓ１８）。そして、Ｓ１８でバイパス路１４を開放状態とした後には、再び、通水センサ３４での通水検出結果に基づいて入水管１２が通水状態であるか否かを確認する（Ｓ１９）。そして、通水センサ３４での通水検出量が所定値を超えた通水状態であること（即ち、通水センサ３４が設けられた位置での水の流量が所定値を超えていること）が確認されると、Ｓ１９でＹｅｓに進み、給湯回路２のつまり状態（バイパス路１４には「つまり」が生じていないが、給湯回路２に「つまり」が生じている状態）であるとして凍結解除のための燃焼制御を行う（Ｓ２０）。
【００２９】
このＳ２０の凍結解除燃焼制御でも、コントローラ２２がファン４８を所定時間回転させて、燃焼室９０内に貯留している燃焼排気の排出（プリパージ）を行い、その後、ガス管４０のガス元電磁弁４２、各給湯切替電磁弁４６を開弁させ、給湯ガス比例制御弁４４を所定開度で開弁させて、各ガスバーナ４（給湯バーナ）へガスを供給すると共に、イグナイタを作動させて各ガスバーナ４（給湯バーナ）に点火する。これにより、各ガスバーナ４（給湯バーナ）が燃焼状態となり、一次熱交換器７及び二次熱交換器８がその燃焼熱によって加熱される。
【００３０】
このように、本構成では、制御部に相当するコントローラ２２は、入水管１２での通水開始に伴う上記閉塞状態（Ｓ１２）のときに通水センサ３４が非検知状態となる場合には、バイパス弁３２の開度を上記閉塞状態のときよりも増大させる開放制御（Ｓ１８）を行い、その後、ガスバーナ４を燃焼させると共に所定の終了条件が成立するまでガスバーナ４の燃焼状態を継続する凍結解除燃焼制御を行うようになっている。このような制御により、「つまり」が生じている可能性が高い熱交換器６付近を加熱し、凍結の解除を試みることができる。
【００３１】
そして、Ｓ２０で凍結解除燃焼制御が開始された後には、出湯管１０の温度が一定温度以上上昇したか否かを継続的に監視している（Ｓ２１）。例えば、Ｓ２０で凍結解除燃焼制御が実行され始めた時点におけるサーミスタ２６での検出温度をＴ１とした場合、Ｓ２１では、サーミスタ２６の温度がこのＴ１から第１温度θ以上上昇しているか否かを判定する。そして、サーミスタ２６の温度がＴ１＋θに達している場合には、Ｓ２１にてＹｅｓに進み、Ｓ２２にてガスバーナ４の停止制御を行う。一方、サーミスタ２６の温度がＴ１＋θに達していない場合には、Ｓ２１にてＮｏに進み、Ｓ２０の制御を継続することになる。
【００３２】
このように制御部に相当するコントローラ２２は、Ｓ２０での凍結解除燃焼制御の実行中に熱交換器６の下流側における通水経路内の温度が所定温度に達した場合、Ｓ２２に進んで凍結解除燃焼制御を停止させる構成となっている。Ｓ２０での凍結解除燃焼制御の実行中に熱交換器６の下流側において通水経路内の温度が所定温度に達した場合、凍結が解除されて所期の目的が達成された可能性が高いため、このような場合に、それ以上の燃焼を停止させることで、水が加熱されすぎることを防ぐことができる。
【００３３】
また、本構成では、上述したように、Ｓ１９での開放制御によってバイパス路１４の開放状態となったときに通水センサ３４が通水検知状態となることを条件としてＳ２０での凍結解除燃焼制御を行っているが、Ｓ１９での開放制御によってバイパス路１４が開放状態となったときに通水センサ３４が通水検知状態とならない場合には、Ｓ２３にて非通水対応処理を行っている。このように、Ｓ１８でバイパス路１４を開放しても通水センサ３４で通水が確認されない場合、急遽のつまりやその他の異常（センサ異常やその他の機器異常）などが考えられる。従って、このような場合に、Ｓ２３にて適切な対応処理を行えば、機器の現状に合ったより適切な対応が可能となる。なお、Ｓ２３での非通水対応処理は、例えば、図示しない表示部によって所定のエラーコードやエラーメッセージなどを表示するような表示処理であってもよく、ブザーや音声メッセージなどでエラーを伝えるような音声処理であってもよい。また、このようなエラー報知処理に代えて、又はエラー報知処理と共に、ヒータによって機器全体又は機器の所定部分（例えば、バイパス路１４付近）を温めるように凍結解除を試みてもよい。なお、Ｓ２３の非通水対応処理が行われる場合でも、Ｓ２２で凍結解除燃焼制御が停止する場合でも、バイパス路１４は開放状態で終了するため、その後の通水停止時にはバイパス路１４が開放状態で維持されることになる。そして、次の通水開始時には、上述したようにバイパス路１４が開放していることを前提として通水が開始する。なお、Ｓ２２又はＳ２３の処理後には、再びスタートに戻って図２の処理が実行され、Ｓ１１にて通水を監視することになる。
【００３４】
また、Ｓ２０の処理では、Ｓ２０での凍結解除燃焼制御の実行が開始されてから所定時間ｔが経過するまでの間に熱交換器６の下流側の通水経路内の温度が第１温度θ以上上昇しないことを条件として所定のエラー報知を行うようにしてもよい。例えば、Ｓ２０で凍結解除燃焼制御の実行が開始された時点でのサーミスタ２６での検出温度をＴ１とした場合、Ｓ２０で凍結解除燃焼制御の実行が開始されてから所定時間ｔを経過しても、サーミスタ２６の検出温度がＴ１＋θに達しない場合、Ｓ２０の処理を中止してＳ２２に進み、所定のエラー報知を行うようにしてもよい。このように、Ｓ２０で凍結解除燃焼制御を行っても熱交換器６の下流側における通水経路内の温度が第１温度θ以上上昇しない場合、熱交換器６の加熱によって「つまり」が解消されておらず、熱交換器６の「つまり」の原因が凍結ではなく他の要因（スケールや異物など）と考えられる。よって、このような場合にその旨を報知すれば、報知を受けた主体がより迅速に適切な対応をとりやすくなる。なお、この場合のエラー報知（即ち、凍結解除燃焼制御を行ってもつまりが解消できないことを示すエラー報知）は、例えば、コントローラ２２や給湯リモコン、風呂リモコンなどに設けられた表示部にて所定のエラーメッセージやエラーコードを表示するような所定表示による報知であってもよく、例えば、コントローラ２２や給湯リモコン、風呂リモコンに設けられたスピーカなどからブザー音やエラーメッセージなどを発音する報知などであってもよい。これらの場合、コントローラ２２及び上記報知媒体（上記表示部や上記スピーカなど）が報知部の一例に相当する。また、このように、Ｓ２０で凍結解除燃焼制御の実行が開始されてから所定時間ｔが経過するまでの間に熱交換器６の下流側の通水経路内の温度が第１温度θ以上上昇しない場合、Ｓ２２に進んで凍結解除燃焼制御を停止させる構成とすれば、不必要の可能性が高い燃焼動作をより速やかに停止することができる。
【符号の説明】
【００３５】
１…風呂・給湯システム（給湯装置）
４…ガスバーナ
７…一次熱交換器（熱交換器）
７ａ…伝熱管
８…二次熱交換器（熱交換器）
８ａ…伝熱管
１０…出湯管
１２…入水管
１４…バイパス路
１６…水入口
２２…コントローラ（制御部）
３２…バイパス弁
３４…通水センサ
【図１】
0006320226.tif 000002
【図２】
0006320226.tif 000003